(57)【要約】【課題】制御装置から構成機器を取り外すことなく機器の識別情報を特定し、プラント設備で修理対象の機器を特定した時点で、当該修理対象の機器の点検記録情報を取得する。【解決手段】保守システムは、制御装置を構成する機器の識別情報に関連付けて、当該機器の点検記録情報を記憶するサーバ装置２０と、制御装置を構成するそれぞれの機器に設置され、当該機器の識別情報及び点検記録情報を記憶する無線タグ１０−１〜１０−４を備える。そして、保守端末３０は、無線タグ１０−１から無線タグ１０−１が設置された機器の識別情報及び点検記録情報を読み出す。また、保守端末３０は、無線タグ１０−１から読み出した識別情報に関連付けられた点検記録情報をサーバ装置２０から読み出す。【選択図】図１
2011203972.tif 000002
【特許請求の範囲】
【請求項１】
複数の機器から構成される保守対象装置の点検記録情報を保守管理する保守システムであって、
前記保守対象装置を構成するそれぞれの機器の識別情報に関連付けて、当該機器の点検記録情報を記憶するサーバ装置と、
前記保守対象装置を構成するそれぞれの機器に設置され、当該機器の識別情報及び点検記録情報を記憶する無線タグと、
前記無線タグ及び前記サーバ装置に対して前記点検記録情報の書き込み及び読み出しを行う保守端末と
を備え、
前記保守端末は、
一の無線タグから当該一の無線タグが設置された機器の識別情報及び点検記録情報を読み出すタグ読み出し部と、
前記サーバ装置から前記タグ読み出し部が読み出した識別情報に関連付けられた点検記録情報を読み出すサーバ読み出し部と
を備えることを特徴とする保守システム。
【請求項２】
前記保守端末は、
前記一の無線タグが設置された機器に対する点検記録情報の入力を受け付ける入力部と、
前記入力部が入力した点検記録情報の一部を、前記一の無線タグに書き込むタグ書き込み部と、
前記入力部が入力した点検記録情報のうち、少なくとも前記タグ書き込み部が書き込まない点検記録情報を、前記タグ読み出し部が読み出した識別情報に関連付けて前記サーバ装置に書き込むサーバ書き込み部と
を備えることを特徴とする請求項１に記載の保守システム。
【請求項３】
前記点検記録情報は、所定の形式の文字列を示す定型入力情報、複数の選択肢の中から選択された入力内容を示す選択入力情報、および任意の文字列を示す任意入力情報であり、
前記タグ書き込み部は、前記入力部が入力した点検記録情報のうち前記定型入力情報及び前記選択入力情報を前記無線タグに書き込み、
前記サーバ書き込み部は、前記入力部が入力した点検記録情報のうち前記任意入力情報を前記サーバ装置に書き込む
ことを特徴とする請求項２に記載の保守システム。
【請求項４】
前記サーバ書き込み部は、前記入力部が前記点検記録情報の入力を受け付けると、当該点検記録情報を記憶部に記録し、自端末が前記サーバ装置と通信できる場所に移動したときに、前記記憶部が記憶する点検記録情報を前記サーバ装置に書き込む
ことを特徴とする請求項２または請求項３の何れか１項に記載の保守システム。
【請求項５】
前記サーバ書き込み部は、自端末が前記サーバ装置との通信を行う通信装置に接続されたときに前記記憶部が記憶する点検記録情報を前記サーバ装置に書き込む
ことを特徴とする請求項４に記載の保守システム。
【請求項６】
前記無線タグは、パッシブタグであることを特徴とする請求項１から請求項５の何れか１項に記載の保守システム。
【請求項７】
前記保守対象装置を構成するそれぞれの機器の識別情報に関連付けて、当該機器の点検記録情報を記憶するサーバ装置と、前記保守対象装置を構成するそれぞれの機器に設置され、当該機器の識別情報及び点検記録情報を記憶する無線タグと、前記無線タグ及び前記サーバ装置に対して前記点検記録情報の書き込み及び読み出しを行う保守端末とを備え、複数の機器から構成される保守対象装置の点検記録情報を保守管理する保守システムを用いた保守方法であって、
前記保守端末のタグ読み出し部は、一の無線タグから当該一の無線タグが設置された機器の識別情報及び点検記録情報を読み出し、
前記保守端末のサーバ読み出し部は、前記サーバ装置から前記タグ読み出し部が読み出した識別情報に関連付けられた点検記録情報を読み出す
ことを特徴とする保守方法。
【請求項８】
前記保守対象装置を構成するそれぞれの機器の識別情報に関連付けて、当該機器の点検記録情報を記憶するサーバ装置、及び前記保守対象装置を構成するそれぞれの機器に設置され、当該機器の識別情報及び点検記録情報を記憶する無線タグに対して前記点検記録情報の書き込み及び読み出しを行う保守端末であって、
一の無線タグから当該一の無線タグが設置された機器の識別情報及び点検記録情報を読み出すタグ読み出し部と、
前記サーバ装置から前記タグ読み出し部が読み出した識別情報に関連付けられた点検記録情報を読み出すサーバ読み出し部と
を備えることを特徴とする保守端末。
【請求項９】
前記保守対象装置を構成するそれぞれの機器の識別情報に関連付けて、当該機器の点検記録情報を記憶するサーバ装置、及び前記保守対象装置を構成するそれぞれの機器に設置され、当該機器の識別情報及び点検記録情報を記憶する無線タグに対して前記点検記録情報の書き込み及び読み出しを行う保守端末を、
一の無線タグから当該一の無線タグが設置された機器の識別情報及び点検記録情報を読み出すタグ読み出し部、
前記サーバ装置から前記タグ読み出し部が読み出した識別情報に関連付けられた点検記録情報を読み出すサーバ読み出し部
として機能させるためのプログラム。
【発明の詳細な説明】
【技術分野】
【０００１】
本発明は、複数の機器から構成される保守対象装置の点検記録情報を保守管理する保守システム、保守方法、保守端末、及びプログラムに関する。
【背景技術】
【０００２】
従来、発電所などのプラント設備の監視制御は、制御装置（ＤＣＳ：Ｄｉｓｔｒｉｂｕｔｅｄ  Ｃｏｎｔｒｏｌ  Ｓｙｓｔｅｍ）を用いて行われている。一般的に、制御装置は、プラント設備の制御盤に設置される。なお、制御装置は、シャーシ、電源ユニット、通信インタフェースカード、ＣＰＵカード、入出力カード等の構成機器で構成される。
【０００３】
制御装置は、新設・更新工事によって据付されて運転を開始した以降、定期検査によって各構成機器の点検を行う。制御装置の点検作業としては、機器外観の目視点検、ランプ表示確認、入出力信号の精度確認、結線状態確認が行われる。また、定期点検に限られず、プラント運転に不適合が発生した場合などには、不定期にもこれらの点検作業が行われる。
いずれの点検作業においても、現場保守員は、制御装置の点検記録を作成する。点検記録には、各構成機器のシリアル番号、点検結果、点検日時、及び点検者の氏名が記録され、プラント設備の運用会社にて保管される。この点検記録は、制御装置のトラブルの原因究明作業に用いられる。
【０００４】
なお、特許文献１には、装置を構成する機器のそれぞれに無線タグを取り付け、当該無線タグから機器の認識番号を読み出す技術が開示されている。
【先行技術文献】
【特許文献】
【０００５】
【特許文献１】特開２００７−３１７８６６号公報
【発明の概要】
【発明が解決しようとする課題】
【０００６】
ところで、現場保守員は、制御装置の点検記録に各構成機器のシリアル番号を書き込む必要があるが、シリアル番号は、例えば基板の表面やユニットの裏側など、制御盤内に組み込まれた状態では外見から判断できないことが多い。このような場合、シリアル番号は、制御盤から構成機器を取り外すことで確認することができるが、制御装置の運転中には、構成機器の取り外すことができないという問題がある。
【０００７】
また、過去の点検記録はプラント設備の運用会社が保管しているものの、現場保守員が現場に出向く際には、事前に点検対象が不明であることが多く、現場保守員が実際に保守するときには、必要な書類が手元に無いことが多い。
このため、初動対応では過去の点検記録を参照せず、実際に調査を行って対象を特定し、事務所に戻ってから原因究明作業を行うこととなり、トラブルの対応が遅れてしまうという問題があった。
【０００８】
この問題に対して、点検記録を電子化してサーバ装置に蓄積しておくことで、現場保守員がプラント設備で対象を特定した時点で当該サーバ装置にアクセスして点検記録を参照する、という対処法が考えられる。しかし、プラント設備は、携帯電話網の圏外であったり、設備の機器に影響を与える懸念から携帯電話端末の電源を切ることが義務付けられていたりするため、プラント設備内からサーバ装置へアクセスすることは困難であった。
【課題を解決するための手段】
【０００９】
本発明は上記の課題を解決するためになされたものであり、複数の機器から構成される保守対象装置の点検記録情報を保守管理する保守システムであって、前記保守対象装置を構成するそれぞれの機器の識別情報に関連付けて、当該機器の点検記録情報を記憶するサーバ装置と、前記保守対象装置を構成するそれぞれの機器に設置され、当該機器の識別情報及び点検記録情報を記憶する無線タグと、前記無線タグ及び前記サーバ装置に対して前記点検記録情報の書き込み及び読み出しを行う保守端末とを備え、前記保守端末は、一の無線タグから当該一の無線タグが設置された機器の識別情報及び点検記録情報を読み出すタグ読み出し部と、前記サーバ装置から前記タグ読み出し部が読み出した識別情報に関連付けられた点検記録情報を読み出すサーバ読み出し部とを備えることを特徴とする。
【００１０】
また、本発明において、前記保守端末は、前記一の無線タグが設置された機器に対する点検記録情報の入力を受け付ける入力部と、前記入力部が入力した点検記録情報の一部を、前記一の無線タグに書き込むタグ書き込み部と、前記入力部が入力した点検記録情報のうち、前記タグ書き込み部が書き込まない点検記録情報を、前記タグ読み出し部が読み出した識別情報に関連付けて前記サーバ装置に書き込むサーバ書き込み部とを備えることが望ましい。
【００１１】
また、本発明において、前記点検記録情報は、所定の形式の文字列を示す定型入力情報、複数の選択肢の中から選択された入力内容を示す選択入力情報、および任意の文字列を示す任意入力情報であり、前記タグ書き込み部は、前記入力部が入力した点検記録情報のうち前記定型入力情報及び前記選択入力情報を前記無線タグに書き込み、前記サーバ書き込み部は、前記入力部が入力した点検記録情報のうち前記任意入力情報を前記サーバ装置に書き込むことが望ましい。
【００１２】
また、本発明において、前記サーバ書き込み部は、前記入力部が前記点検記録情報の入力を受け付けると、当該点検記録情報を記憶部に記録し、自端末が前記サーバ装置と通信できる場所に移動したときに、前記記憶部が記憶する点検記録情報を前記サーバ装置に書き込むことが望ましい。
【００１３】
また、本発明において、前記サーバ書き込み部は、自端末が前記サーバ装置との通信を行う通信装置に接続されたときに前記記憶部が記憶する点検記録情報を前記サーバ装置に書き込むことが望ましい。
【００１４】
また、本発明において、前記無線タグは、パッシブタグであることが望ましい。
【００１５】
また、本発明は、前記保守対象装置を構成するそれぞれの機器の識別情報に関連付けて、当該機器の点検記録情報を記憶するサーバ装置と、前記保守対象装置を構成するそれぞれの機器に設置され、当該機器の識別情報及び点検記録情報を記憶する無線タグと、前記無線タグ及び前記サーバ装置に対して前記点検記録情報の書き込み及び読み出しを行う保守端末とを備え、複数の機器から構成される保守対象装置の点検記録情報を保守管理する保守システムを用いた保守方法であって、前記保守端末のタグ読み出し部は、一の無線タグから当該一の無線タグが設置された機器の識別情報及び点検記録情報を読み出し、前記保守端末のサーバ読み出し部は、前記サーバ装置から前記タグ読み出し部が読み出した識別情報に関連付けられた点検記録情報を読み出すことを特徴とする。
【００１６】
また、本発明は、前記保守対象装置を構成するそれぞれの機器の識別情報に関連付けて、当該機器の点検記録情報を記憶するサーバ装置、及び前記保守対象装置を構成するそれぞれの機器に設置され、当該機器の識別情報及び点検記録情報を記憶する無線タグに対して前記点検記録情報の書き込み及び読み出しを行う保守端末であって、一の無線タグから当該一の無線タグが設置された機器の識別情報及び点検記録情報を読み出すタグ読み出し部と、前記サーバ装置から前記タグ読み出し部が読み出した識別情報に関連付けられた点検記録情報を読み出すサーバ読み出し部とを備えることを特徴とする。
【００１７】
また、本発明は、前記保守対象装置を構成するそれぞれの機器の識別情報に関連付けて、当該機器の点検記録情報を記憶するサーバ装置、及び前記保守対象装置を構成するそれぞれの機器に設置され、当該機器の識別情報及び点検記録情報を記憶する無線タグに対して前記点検記録情報の書き込み及び読み出しを行う保守端末を、一の無線タグから当該一の無線タグが設置された機器の識別情報及び点検記録情報を読み出すタグ読み出し部、前記サーバ装置から前記タグ読み出し部が読み出した識別情報に関連付けられた点検記録情報を読み出すサーバ読み出し部として機能させるためのプログラムである。
【発明の効果】
【００１８】
本発明によれば、制御装置を構成するそれぞれの機器に当該機器の識別情報を記憶する無線タグが設置され、保守端末のタグ読み出し部が当該無線タグから機器の識別情報を読み出す。これにより、現場保守員は、制御盤から構成機器を取り外すことなく機器の識別情報を特定することができる。
また、本発明によれば、保守端末は、サーバ装置と無線タグとから点検記録情報を読み出す。これにより、現場保守員がプラント設備で修理対象の機器を特定した時点で、当該修理対象の機器に設置された無線タグから点検記録情報を読み出すことができる。また、当該点検記録のみでトラブル対処ができない場合は、プラント設備外に移動することで、保守端末は、サーバ装置からより詳細な点検記録情報を受信することができる。
これにより、現場保守員は、早急に制御装置のトラブルに対処することができる。
【図面の簡単な説明】
【００１９】
【図１】本発明の一実施形態による保守システムの構成を示す概略図である。
【図２】無線タグの記憶回路のメモリマップを示す図である。
【図３】保守端末の構成を示す概略ブロック図である。
【図４】定型文記憶部が記憶する情報の例を示す図である。
【図５】点検記録情報の読み出しを行う際の保守端末の動作を示すフローチャートである。
【図６】点検記録情報の書き込みを行う際の保守端末の動作を示すフローチャートである。
【図７】他の実施形態による保守システムの構成を示す概略図である。
【発明を実施するための形態】
【００２０】
以下、図面を参照しながら本発明の実施形態について詳しく説明する。
図１は、本発明の一実施形態による保守システムの構成を示す概略図である。
保守システムは、複数の無線タグ１０−１〜１０−４（以下、無線タグ１０−１〜１０−４を総称する場合は無線タグ１０と表記する）、サーバ装置２０、及び保守端末３０を備える。
【００２１】
無線タグ１０は、制御装置（保守対象装置）を構成する機器のフロントパネルまたはその近辺に貼付される。無線タグ１０は、当該無線タグ１０が貼付された機器のシリアル番号（識別情報）と当該機器の保守記録情報を記憶する記憶回路を備える。無線タグ１０は、パッシブタグであり、保守端末３０が無線タグ１０に電波を発することで起動し、記憶回路が記憶するシリアル番号及び保守記録情報の読み出し、並びに記憶回路が記憶する保守記録情報の書き込みを行う。無線タグ１０にパッシブタグを用いることで、近接する他の制御装置に貼付された無線タグ１０と混信することがなく、また無線タグ１０の大きさを小さくすることができるという利点がある。
【００２２】
図２は、無線タグの記憶回路のメモリマップを示す図である。
無線タグ１０の記憶回路は、点検記録情報を格納する点検記録情報領域、無線タグ１０が貼付された機器の型番号、シリアル番号、出荷日などの初期情報を格納する初期情報領域、及び無線タグ１０を交換した日時を格納するタグ交換日時領域を有する。初期情報領域及びタグ交換日時領域は、それぞれ初期情報と日付とが１つ格納できるだけのデータ量の領域である。残りの領域は、全て点検記録情報領域となる。
なお、点検記録情報領域に格納された点検記録情報には定型文コードを示す数値が記録される。定型文コードとは、「異常なし」や「信号入力異常」などの定型文に関連付けられた数値のことである。このように、無線タグの記憶回路には、情報量を圧縮して点検記録情報が格納されている。これにより、記憶回路の記憶容量を節約している。
【００２３】
サーバ装置２０は、制御装置の遠隔に設置され、内蔵するデータベースに制御装置を構成する機器のシリアル番号と当該機器の保守記録情報と当該機器の取扱説明書とを関連付けて記憶する。サーバ装置２０は、保守端末３０と無線ネットワークを介して接続されており、保守端末３０がサーバ装置２０にアクセスすることで、データベースに記憶する保守記録情報の読み出し及び書き込みを行う。
【００２４】
図３は、保守端末の構成を示す概略ブロック図である。
保守端末３０は、無線タグ１０及びサーバ装置２０に対して点検記録情報の書き込み及び読み出しを行う。また、保守端末３０は、タグ通信部３０１、タグ読み出し部３０２、定型文記憶部３０３、変換部３０４、表示部３０５、サーバ通信部３０６、サーバ読み出し部３０７、入力部３０８、タグ書き込み部３０９、記憶部３１０、通信状況判定部３１１、サーバ書き込み部３１２を備える。
【００２５】
タグ通信部３０１は、無線タグ１０を起動させる電波を発する。
タグ読み出し部３０２は、タグ通信部３０１を介して無線タグ１０から機器のシリアル番号を含む初期情報、無線タグ１０の交換日時、及び保守記録情報を読み出し、変換部３０４に出力する。また、タグ読み出し部３０２は、読み出した機器のシリアル番号を記憶部３１０に記録する。
【００２６】
図４は、定型文記憶部が記憶する情報の例を示す図である。
定型文記憶部３０３は、「異常なし」や「信号入力異常」などの定型文と、当該定型文を特定する定型文コードを関連付けて記憶する。
変換部３０４は、定型文記憶部３０３を参照し、タグ読み出し部３０２が読み出した保守記録情報が示す定型文コードを定型文に変換し、表示部３０５に出力する。
【００２７】
サーバ通信部３０６は、通信状況判定部３１１によって通信状況が良いと判定された場合に、無線ＬＡＮや携帯電話網などの無線ネットワークを介してサーバ装置２０との通信を行う。
サーバ読み出し部３０７は、記憶部３１０が記憶するシリアル番号に関連付けられた保守記録情報及び取扱説明書を、サーバ通信部３０６を介してサーバ装置２０から読み出し、表示部３０５に出力する。
表示部３０５は、変換部３０４及びサーバ読み出し部３０７から入力した情報を画面に表示する。
【００２８】
入力部３０８は、現場保守員から機器の保守記録情報の入力を受け付け、入力を受け付けた保守記録情報のうち定型入力情報及び選択入力情報をタグ書き込み部３０９に出力し、任意入力情報を記憶部３１０に記録する。ここで、定型入力情報とは、日付や電力量などの所定の形式の文字列を示す保守記録情報のことである。また、選択入力情報とは、複数の選択肢の中から選択された入力内容の定型文コードを示す保守記録情報のことである。また、任意入力情報とは、現場保守員によって入力された任意の文字列を示す保守記録情報のことである。
タグ書き込み部３０９は、入力部３０８から入力した保守記録情報を、タグ通信部３０１を介して無線タグ１０に書き込む。
【００２９】
記憶部３１０は、サーバ装置２０に送信する保守記録情報と機器のシリアル番号とを記憶する。
通信状況判定部３１１は、無線ネットワークとの通信状況の良否を判定する。
サーバ書き込み部３１２は、サーバ通信部３０６を介して記憶部３１０が記憶する保守記録情報及びシリアル番号をサーバ装置２０のデータベースに書き込む。
【００３０】
そして、このような構成を有する保守システムにおいて、保守端末３０のタグ読み出し部３０２は、一の無線タグ１０から当該一の無線タグ１０が設置された機器のシリアル番号及び点検記録情報を読み出し、サーバ読み出し部３０７は、タグ読み出し部が読み出したシリアル番号に関連付けられた点検記録情報をサーバ装置２０から読み出す。
これにより、現場保守員がプラント設備で修理対象の機器を特定した時点で、当該修理対象の機器に設置された無線タグ１０から点検記録情報を読み出すことができる。また、当該点検記録のみでトラブル対処ができない場合は、無線ネットワークの通信状況が良好な場所に移動することで、保守端末３０は、サーバ装置２０からより詳細な点検記録情報を受信することができる。
【００３１】
次に、本実施形態による保守システムの動作を説明する。まず、点検記録情報の読み出し時の動作を説明する。
図５は、点検記録情報の読み出しを行う際の保守端末の動作を示すフローチャートである。
現場保守員が保守端末３０を起動し、点検記録情報の読み出し処理を実行すると、タグ通信部３０１は、無線タグ１０から点検記録情報、初期情報及びタグ交換日時を読み出す信号の出力を開始する（ステップＳ１０１）。現場保守員が保守端末３０を無線タグ１０に近接させると、無線タグ１０は、電磁誘導により起動し、記憶回路が記憶する点検記録情報、初期情報及びタグ交換日時を示す信号を発信する。無線タグ１０が信号を発信すると、タグ読み出し部３０２は、当該信号から点検記録情報、初期情報及びタグ交換日時を読み出す（ステップＳ１０２）。
【００３２】
次に、変換部３０４は、タグ読み出し部３０２が読み出した点検記録情報に含まれる定型文コードを、定型文に変換する（ステップＳ１０３）。例えば、タグ読み出し部３０２が、点検記録情報として「１＝“２０１０／０３／０１  ００：００：００”，２＝２０，３＝３１，４＝４０，５＝５１」を読み出した場合、変換部３０４は、定型文記憶部の情報（図４）を参照し、点検記録情報を「点検実施日＝２０１０／０３／０１  ００：００：００，信号入出力の確認結果＝異常なし，通信の確認結果＝通信不可，目視点検結果＝異常なし，詳細記録の有無＝有」に変換する。
【００３３】
次に、表示部３０５は、タグ読み出し部３０２が読み出した初期情報及びタグ交換日時と変換部３０４が変換した点検記録情報とを画面に表示する（ステップＳ１０４）。これにより、現場保守員は、点検記録情報を参照し、機器に異常があるか否かの点検を行う。
次に、入力部３０８は、サーバ装置２０から更に詳細な点検記録情報及び取扱説明書を読み出すか否かの入力を受け付ける（ステップＳ１０５）。現場保守員は、当該機器に不具合があり、更に詳細な情報が必要であると判断した場合や、当該機器に不具合があるか否かを調べる場合に、サーバ装置２０からの情報を読み出す旨を入力する。他方、現場保守員は、当該機器に不具合が無い場合や、当該機器に不具合があるが無線タグ１０から読み出した情報のみで対処できる場合に、サーバ装置２０からの情報を読み出さない旨を入力する。
【００３４】
入力部３０８が、サーバ装置２０から情報を読み出す旨の入力を受け付けた場合（ステップＳ１０５：ＹＥＳ）、タグ読み出し部３０２は、無線タグ１０から読み出した初期情報に含まれるシリアル番号を記憶部３１０に記録する（ステップＳ１０６）。
ステップＳ１０５で、入力部３０８が、サーバ装置２０から情報を読み出さない旨の入力を受け付けた場合（ステップＳ１０５：ＮＯ）、または、ステップＳ１０６でタグ読み出し部３０２が、シリアル番号を記憶部３１０に記録した場合、入力部３０８は、他の無線タグ１０から機器の情報を読み出すか否かの入力を受け付ける（ステップＳ１０７）。入力部３０８が、他の無線タグ１０から機器の情報を読み出す旨の入力を受け付けた場合（ステップＳ１０７：ＹＥＳ）、ステップＳ１に戻り、他の無線タグ１０からの情報の読み出しを行う。
【００３５】
他方、入力部３０８が、他の無線タグ１０から機器の情報を読み出さない旨の入力を受け付けた場合（ステップＳ１０７：ＮＯ）、表示部３０５は、画面に通信状況が良い場所への移動を促すメッセージを表示する（ステップＳ１０８）。次に、通信状況判定部３１１は、無線ネットワークとの通信状況が良好であるか否かを判定する（ステップＳ１０９）。通信状況判定部３１１が、無線ネットワークとの通信状況が良好でないと判定した場合（ステップＳ１０９：ＮＯ）、ステップＳ１０９の判定を繰り返し、通信状況が良好になるまで待機する。
【００３６】
通信状況判定部３１１が、無線ネットワークとの通信状況が良好であると判定した場合（ステップＳ１０９：ＹＥＳ）、サーバ読み出し部３０７は、サーバ通信部３０６を介して、記憶部３１０が記憶するシリアル番号に関連付けられた点検記録情報及び取扱説明書の送信要求を送信する（ステップＳ１１０）。
サーバ装置２０は、保守端末３０から点検記録情報及び取扱説明書の送信要求を受信すると、送信要求に含まれるシリアル番号に関連付けられた点検記録情報及び取扱説明書をデータベースから読み出し、保守端末３０に送信する。
次に、保守端末３０のサーバ読み出し部３０７は、サーバ通信部３０６を介してサーバ装置２０から点検記録情報及び取扱説明書を読み出す（ステップＳ１１１）。そして、表示部３０５は、読み出した点検記録情報及び取扱説明書を画面に表示し（ステップＳ１１２）、処理を終了する。
【００３７】
これにより、現場保守員がプラント設備で修理対象の機器を特定した時点で、当該修理対象の機器に設置された無線タグから点検記録情報を読み出すことができる。また、当該点検記録のみでトラブル対処ができない場合は、無線ネットワークとの通信ができるプラント設備外に移動することで、保守端末３０は、サーバ装置２０からより詳細な点検記録情報を受信することができる。
そのため、現場保守員は、早急に制御装置のトラブルに対処することができる。
【００３８】
次に、点検記録情報の書き込み時の動作を説明する。
図６は、点検記録情報の書き込みを行う際の保守端末の動作を示すフローチャートである。
現場保守員が保守端末３０を起動し、保守端末３０に点検記録情報を入力すると、入力部３０８は、点検記録情報の入力を受け付ける（ステップＳ２０１）。次に、入力部３０８は、入力を受け付けた保守記録情報のうち任意入力情報を記憶部３１０に記録する（ステップＳ２０２）。
【００３９】
次に、タグ通信部３０１は、無線タグ１０から機器のシリアル番号を読み出す信号の出力を開始する（ステップＳ２０３）。現場保守員が保守端末３０を無線タグ１０に近接させると、無線タグ１０は、電磁誘導により起動し、記憶回路が記憶するシリアル番号を示す信号を発信する。無線タグ１０が信号を発信すると、タグ読み出し部３０２は、当該信号からシリアル番号を読み出す（ステップＳ２０４）。次に、タグ読み出し部３０２は、読み出したシリアル番号を記憶部３１０に記録する（ステップＳ２０５）。
【００４０】
次に、タグ書き込み部３０９は、入力部３０８が入力を受け付けた点検記録情報のうち、定型入力情報及び選択入力情報を示す信号をタグ通信部３０１を介して無線タグ１０に出力する（ステップＳ２０６）。無線タグ１０は、保守端末３０から信号を受信すると、記憶回路の点検記録情報領域に新たに点検記録情報（定型入力情報及び選択入力情報）を追記する。このように、保守端末３０は、任意入力情報と比べて比較的データ量が少ない定型入力情報及び選択入力情報を、無線タグ１０に書き込む。これにより、保守端末３０は、無線タグ１０の記憶容量の浪費を防止することができる。
【００４１】
次に、表示部３０５は、画面に通信状況が良い場所への移動を促すメッセージを表示する（ステップＳ２０７）。次に、通信状況判定部３１１は、無線ネットワークとの通信状況が良好であるか否かを判定する（ステップＳ２０８）。通信状況判定部３１１が、無線ネットワークとの通信状況が良好でないと判定した場合（ステップＳ２０８：ＮＯ）、ステップＳ２０８の判定を繰り返し、通信状況が良好になるまで待機する。
【００４２】
通信状況判定部３１１が、無線ネットワークとの通信状況が良好であると判定した場合（ステップＳ２０８：ＹＥＳ）、サーバ書き込み部３１２は、サーバ通信部３０６を介して、記憶部３１０が記憶するシリアル番号及び点検記録情報を送信する（ステップＳ２０９）。
サーバ装置２０は、保守端末３０からシリアル番号及び点検記録情報を受信すると、受信したシリアル番号に関連付けて点検記録情報をデータベースに登録する。
保守端末３０のサーバ書き込み部３１２は、サーバ装置２０にシリアル番号及び点検記録情報を送信すると、処理を終了する。
これにより、保守端末３０は、無線タグ１０及びサーバ装置２０に対し、機器のシリアル番号に関連付けて点検記録情報を書き込むことができる。
【００４３】
以上、図面を参照してこの発明の一実施形態について詳しく説明してきたが、具体的な構成は上述のものに限られることはなく、この発明の要旨を逸脱しない範囲内において様々な設計変更等をすることが可能である。
例えば、本実施形態では、保守端末３０が無線通信機能を有し、通信状況判定部３１１が無線ネットワークとの通信状況が良好であると判定した場合にサーバ装置２０との通信を行う場合を説明したが、これに限られず、例えば以下に示す方法でサーバ装置２０との通信を行っても良い。
【００４４】
図７は、他の実施形態による保守システムの構成を示す概略図である。
例えば、保守システムは、保守端末３０の充電装置であるクレードル４０（通信装置）を更に有し、クレードル４０は、サーバ装置２０と無線または有線で接続される。
このような構成において、通信状況判定部３１１は、保守端末３０がクレードル４０に接続されているかを判定し、接続されていると判定した場合に、クレードル４０を介してサーバ装置２０との通信を行うようにしても良い。
【００４５】
また、本実施形態では、保守端末３０が無線タグ１０との通信機能を備える場合を説明したが、これに限られず、例えば保守端末３０が通信機能を備えず、他の無線タグ通信装置に接続して、当該装置を介して書き込み及び読み出しを行っても良い。
また、本実施形態では、保守端末３０がサーバ装置に点検記録情報のうち任意入力情報のみを書き込む場合を説明したが、これに限られず、任意入力情報に加えて他の点検記録情報をさらに登録しても良い。
【００４６】
上述の保守端末３０は内部に、コンピュータシステムを有している。そして、上述した各処理部の動作は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【００４７】
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【符号の説明】
【００４８】
１０、１０−１〜１０−４…無線タグ  ２０…サーバ装置  ３０…保守端末  ４０…クレードル  ３０１…タグ通信部  ３０２…タグ読み出し部  ３０３…定型文記憶部  ３０４…変換部  ３０５…表示部  ３０６…サーバ通信部  ３０７…サーバ読み出し部  ３０８…入力部  ３０９…タグ書き込み部  ３１０…記憶部  ３１１…通信状況判定部  ３１２…サーバ書き込み部
【図１】
2011203972.tif 000003
【図２】
2011203972.tif 000004
【図３】
2011203972.tif 000005
【図４】
2011203972.tif 000006
【図５】
2011203972.tif 000007
【図６】
2011203972.tif 000008
【図７】
2011203972.tif 000009